(57)【特許請求の範囲】
【請求項１】
使用状態において、左右中央部に前方向に突出して上下方向に伸びる凸部が形成され、前方を向いた対向面を有する便鉢と、
前記凸部の上方に設けられ、前記対向面に沿って洗浄水を吐水する吐水部と、
を備えており、
前記便鉢は、
上端が前記吐水部の下方に位置し、前記吐水部から吐水された洗浄水が乗って下部前方に案内する左右一対の洗浄段を有し、
前記凸部が前記洗浄段の上端の下方から下方向に伸びていることを特徴とする小便器。
【請求項２】
前記凸部は、
下端が前記対向面の下部まで伸びていることを特徴とする請求項１記載の小便器。
【請求項３】
前記便鉢の下端に排出口が形成されており、この排出口に載置される目皿を備え、前記凸部の下端と前記目皿の外周縁との間に間隔が設けられていることを特徴とする請求項１から請求項２までのいずれか１項に記載の小便器。
【請求項４】
前記対向面は、
使用状態における水平断面形状において、
左右中央部が後方向に窪んで湾曲し、下方に向けて曲率半径が徐々に小さくなっていることを特徴とする請求項１から請求項３までのいずれか１項に記載の小便器。
【請求項５】
前記吐水部は、
前記対向面に取り付けられる吐水具を有しており、
前記対向面の前記吐水具が取り付けられる部分が平面であることを特徴とする請求項１から請求項４までのいずれか１項に記載の小便器。
【請求項６】
前記吐水部は、前記凸部よりも上方に設けられていることを特徴とする請求項１から請求項５までのいずれか１項に記載の小便器。
【発明の詳細な説明】
【技術分野】
【０００１】
本発明は小便器に関するものである。
【背景技術】
【０００２】
特許文献１は従来の小便器を開示している。この小便器は便鉢及び吐水部を備えている。吐水部は便鉢の上端部の左右中央に設けられている。便鉢は、使用状態における水平断面形状において、左右中央部が後方向に窪み左右両端部が前方向に突出し、上下方向に伸びて前方を向いた対向面を有している。この対向面は、下方に向けて徐々に後退しつつ、水平断面形状における曲率半径が徐々に小さくなっている。このため、この小便器は、便鉢の開口部が下方に向けて徐々に幅寸法を狭くし、前方向に突出する部分の幅寸法を小さくすることができる。よって、この小便器は、使用者が便鉢に近づきやすく、使用者の尿が床にこぼれることを抑えることができる。
【先行技術文献】
【特許文献】
【０００３】
【特許文献１】特許第５６６０２３９号公報
【発明の概要】
【発明が解決しようとする課題】
【０００４】
しかし、特許文献１の小便器は、便鉢の対向面が下方に向けて徐々に後退しつつ、水平断面形状における曲率半径が徐々に小さくなっている。このため、吐水部から吐水された洗浄水は、便鉢の下端に向かうにつれて、便鉢の対向面の左右中央部に集まって束になるため、流速が増して左右方向に拡がり難くなる。よって、この小便器は便鉢を斑無く洗浄できないおそれがある。
【０００５】
本発明は、上記従来の実情に鑑みてなされたものであって、良好に洗浄することができる小便器を提供することを解決すべき課題としている。
【課題を解決するための手段】
【０００６】
本発明の小便器は、使用状態において、左右中央部に前方向に突出して上下方向に伸びる凸部が形成され、前方を向いた対向面を有する便鉢と、
前記凸部の上方に設けられ、前記対向面に沿って洗浄水を吐水する吐水部と、
を備えており、
前記便鉢は、
上端が前記吐水部の下方に位置し、前記吐水部から吐水された洗浄水が乗って下部前方に案内する左右一対の洗浄段を有し、
前記凸部が前記洗浄段の上端の下方から下方向に伸びていることを特徴とする。
【０００７】
本発明の小便器は、吐水部から吐水された洗浄水が対向面を流下し凸部に到達すると、凸部が洗浄水の流れを左右方向に拡げる。このため、この小便器は対向面の全体に洗浄水を流すことができる。この小便器は、吐水部から吐水され左右一対の洗浄段に乗った洗浄水が便鉢の下部前方に案内されるため、便鉢の下部前方を洗浄することができる。また、この小便器は、左右一対の洗浄段に乗らず対向面の左右中央部を流下する洗浄水を凸部によって対向面の左右方向に拡げることができるため、左右一対の洗浄段の間の対向面を斑無く洗浄することができる。
【０００８】
したがって、本発明の小便器は良好に洗浄することができる。
【図面の簡単な説明】
【０００９】
【図１】実施例１の小便器の正面図である。
【図２】実施例１の小便器の平面図である。
【図３】図２における矢視Ｕ−Ｕ部の断面図である。
【図４】実施例１の小便器の斜視図である。
【図５】図１における矢視Ｘ−Ｘ部の端面図である。
【図６】図１における矢視Ｙ−Ｙ部の端面図である。
【図７】図１における矢視Ｚ−Ｚ部の端面図である。
【図８】図１における矢視Ｖ−Ｖ部の端面図である。
【発明を実施するための形態】
【００１０】
本発明における好ましい実施の形態を説明する。
【００１１】
本発明の凸部は、下端が前記対向面の下部まで伸び得る。この場合、この小便器は凸部の上端で対向面の左右方向に拡がった洗浄水の流れを対向面の下部まで維持することができる。
【００１３】
本発明の小便器は、前記便鉢の下端に排出口が形成されており、この排出口に載置される目皿を備え、前記凸部の下端と前記目皿の外周縁との間に間隔が設けられ得る。この場合、この小便器は目皿の周囲に凸部の下端が隣接して設けられていないため、目皿の周囲の便鉢表面を滑らかに形成することができ、目皿近傍の便鉢表面を洗浄水が満遍なく流れることができる。さらに、この小便器は使用者から見え易い目皿の周囲の見た目を良好にすることができる。
【００１４】
本発明の対向面は、使用状態における水平断面形状において、左右中央部が後方向に窪んで湾曲し、下方に向けて曲率半径が徐々に小さくなり得る。この場合、この小便器は、対向面が下方に向けて曲率半径が徐々に小さくなるため吐水部から吐水された洗浄水が対向面の左右中央部に集まりやすい。しかし、この小便器は凸部によって洗浄水を対向面の左右方向に拡げることができるため、対向面の全体を洗浄水が流れて、良好に洗浄することができる。また、この小便器は下端に向かうにつれ対向面の左右方向の幅が小さくなり、使用者が対向面に近づきやすくすることができるため、使用者の尿が床にこぼれることを抑えることができる。
【００１５】
本発明の吐水部は、前記対向面に取り付けられる吐水具を有しており、前記対向面の前記吐水具が取り付けられる部分が平面であり得る。この場合、この小便器は吐水具の取付け面と対向面とを容易に密着させることができる。このため、吐水具から洗浄水を対向面に沿ってばらつきなく所望の方向に吐水することができる。また、この小便器は外観を良好にすることができ、さらに、清掃性を良好にすることができる。
【００１６】
次に、本発明の小便器を具体化した実施例１について、図面を参照しつつ説明する。
【００１７】
＜実施例１＞
実施例１の小便器は、図４に示すように、小便器本体１０、便鉢１１、吐水部１２、及び目皿１３を備えている。
【００１８】
小便器本体１０は、図１〜４に示すように、上端面１０Ａ、左側面１０Ｂ、及び右側面１０Ｃを有している。上端面１０Ａは平板状をなし、前後方向（前後は図１における手前側奥側、以下同じ。）に幅を有し左右方向（左右は図１における左側右側、以下同じ。）に伸びている。上端面１０Ａは前端の左右中央部が後方向に窪み湾曲している。
【００１９】
左側面１０Ｂは前後方向に幅を有し、上端面１０Ａの左端から下方向（下は図１における下側、以下同じ。）に伸びている。また、右側面１０Ｃは前後方向に幅を有し、上端面１０Ａの右端から下方向に伸びている。左側面１０Ｂ及び右側面１０Ｃは互いの間の寸法が下方に向かうにつれて小さくなっている。また、左側面１０Ｂ及び右側面１０Ｃは、それぞれの下端部の前側が前方向に突出しつつ、左右中央に向けて伸びて互いに左右中央部で連結している。また、左側面１０Ｂ及び右側面１０Ｃが連結した左右中央部は下端に向うにつれ後退している。小便器本体１０は、上端面１０Ａ、左側面１０Ｂ、及び右側面１０Ｃのそれぞれの後端が同一平面上に形成されている。これにより、小便器本体１０は設置する壁面Ｗに同一平面上に形成された上端面１０Ａ、左側面１０Ｂ、及び右側面１０Ｃのそれぞれの後端を当接して取り付けることができる（図２、３参照。）。
【００２０】
便鉢１１は、対向面１１Ａ、左右一対の洗浄段１１Ｂ、排出口１１Ｃ、及び凸部１１Ｄを有している。対向面１１Ａは左右中央部が後方向に窪み湾曲し前方を向き上下方向に伸びている。詳しくは、対向面１１Ａは左右中央部の上部から下部にかけて、左右方向に幅を有し上下方向に伸びた左右中間部１１Ｇが形成されている。この左右中間部１１Ｇは、僅かに左右中央部が後方向に窪み湾曲し前方を向き、略平面状に形成されている。また、対向面１１Ａは左右中間部１１Ｇの上端部に平面状に形成された平面部１１Ｋが設けられている。また、対向面１１Ａは左右中間部１１Ｇの左右両側から前方向に湾曲した一対の湾曲面１１Ｈが形成されている。これら湾曲面１１Ｈは互いに左右中央に対象である。これら湾曲面１１Ｈは左右中間部１１Ｇの上端で互いに連続し対向面１１Ａの上端まで伸びている。また、これら湾曲面１１Ｈは左右中間部１１Ｇの下端で互いに連続し対向面１１Ａの下端部まで伸びている。対向面１１Ａは使用状態における水平断面形状において、湾曲面１１Ｈの曲率半径が下方に向けて徐々に小さくなっている（図５〜８参照。）。また、便鉢１１は下端部に上方向に椀状に拡がる椀状部１１Ｊが形成されている。便鉢１１は椀状部１１Ｊの後側が対向面１１Ａの下端部である。便鉢１１は対向面１１Ａの上端が小便器本体１０の上端面１０Ａの前端に連結している。また、便鉢１１は対向面１１Ａの左右両端及び椀状部１１Ｊの前側の上端がそれぞれ小便器本体１０の左側面１０Ｂ及び右側面１０Ｃの前端に連結している。また、対向面１１Ａは左右中間部１１Ｇの上端部に形成された平面部１１Ｋに前後方向に貫通して設けられた挿通孔１１Ｆが設けられている。
【００２１】
左右一対の洗浄段１１Ｂは便鉢１１の左右両側に上下方向に伸びて設けられている。詳しくは、左右一対の洗浄段１１Ｂは互いに左右中央に対称に、一対の湾曲面１１Ｈにそれぞれが設けられている。また、左右一対の洗浄段１１Ｂはそれぞれの上端が左右中間部１１Ｇの左右両側の近傍に位置している。また、左右一対の洗浄段１１Ｂは上端が対向面１１Ａの左右中間部１１Ｇの上端部に形成された平面部１１Ｋに設けられた挿通孔１１Ｆとの間に所定の間隔を空けて、挿通孔１１Ｆの下側に設けられている。また、左右一対の洗浄段１１Ｂは対向面１１Ａの湾曲面１１Ｈを下部前方に傾斜して伸びている。詳しくは、左右一対の洗浄段１１Ｂは下方向に窪み湾曲し下部前方に傾斜して伸びている（図３参照。）。また、左右一対の洗浄段１１Ｂはそれぞれの間の左右方向の寸法が、上端から上下中央部に向かうにつれて大きくなっている（図１参照。）。また、左右一対の洗浄段１１Ｂはそれぞれの間の左右方向の寸法が、上下中央部から下端に向かうにつれて小さくなっている（図１参照。）。また、左右一対の洗浄段１１Ｂは下端が便鉢１１の椀状部１１Ｊの前側の左右中央で互いに連結している（図２参照。）。
【００２２】
排出口１１Ｃは便鉢１１の椀状部１１Ｊの下端に上下方向に開口して設けられている。つまり、排出口１１Ｃは便鉢１１の下端に形成されている。排出口１１Ｃは左右一対の洗浄段１１Ｂの下端の後側に位置している。排出口１１Ｃは排出口１１Ｃの下流側に設けられた排出路１０Ｋを介して設置する壁面Ｗから引き出された排水管Ｄに連結される（図３参照。）。
【００２３】
凸部１１Ｄは使用状態において、対向面１１Ａの左右中央部に前方向に突出して上下方向に伸びて形成されている。凸部１１Ｄは上端が左右一対の洗浄段１１Ｂの上端の下方に位置し下方向に伸びている。詳しくは、凸部１１Ｄは上端が左右一対の洗浄段１１Ｂの上端より下方であって、左右一対の洗浄段１１Ｂの上端の近傍に位置している（図１、４、６参照。）。また、凸部１１Ｄは下端が対向面１１Ａの下部である下端部まで伸びている。凸部１１Ｄは対向面１１Ａの左右中央に向かうにつれて徐々に前方向に突出して形成されている（図７参照。）。また、凸部１１Ｄは上下方向の中央部の左右方向の寸法が、上端部及び下端部の左右方向の寸法より大きい（図１、４参照。）。また、凸部１１Ｄは上下方向の中央部の前方向に突出する寸法が、上端部、及び下端部の前方向に突出する寸法より大きい。
【００２４】
吐水部１２は吐水具であるスプレッダー１２Ａを有している。スプレッダー１２Ａは円盤状をなし、円盤状の中心軸が前後方向に伸びている。スプレッダー１２Ａは円盤状の後端面が平面状に形成されている。スプレッダー１２Ａは後端面を対向面１１Ａの左右中間部１１Ｇの上端部に形成された平面部１１Ｋに当接し、対向面１１Ａの上端部に形成された挿通孔１１Ｆを前側から覆い取り付けられる。こうして、スプレッダー１２Ａは凸部１１Ｄ及び左右一対の洗浄段１１Ｂの上方に設けられる。また、スプレッダー１２Ａは対向面１１Ａの左右中間部１１Ｇの上端部に形成された平面部１１Ｋに取り付けられる（図５参照。）。また、スプレッダー１２Ａは円盤状の前端面に人体検知センサー１２Ｂが設けられている（図４参照。）。
【００２５】
目皿１３は円盤状をなし円盤状の中心軸が上下方向に伸びている。目皿１３は外径が排出口１１Ｃの内径より僅かに大きい。目皿１３は円盤状の外周面に径方向の外側に向けて複数の突起（図示せず）が設けられている。これら複数の突起は外周面から突出する寸法が互いに同じである。目皿１３は排出口１１Ｃに載置されている。このとき、目皿１３は複数の突起が排出口１１Ｃの内周面に当接する。これにより、目皿１３は、円盤状の外周面が排出口１１Ｃの内周面に当接することがなく、円盤状の外周面と排出口１１Ｃの内周面との間に所定の間隔を設けることができる。このとき、便鉢１１の対向面１１Ａに設けられた凸部１１Ｄは下端が目皿１３の外周縁との間に間隔が設けられている。
【００２６】
次に、この小便器の動作を説明する。
【００２７】
図４に示すように、先ず、スプレッダー１２Ａから洗浄水を吐水する。スプレッダー１２Ａは洗浄水を対向面１１Ａに沿って下方向及び左右方向に拡げて吐水する。左右一対の洗浄段１１Ｂの上端は吐水部１２が有するスプレッダー１２Ａの下方に位置している。そして、スプレッダー１２Ａから左右方向に吐水された洗浄水の１部が左右一対の洗浄段１１Ｂの上端に到達し、左右一対の洗浄段１１Ｂに乗って下部前方に案内され流下する。このとき、左右一対の洗浄段１１Ｂに乗った洗浄水の１部は左右一対の洗浄段１１Ｂに案内され流下しつつ、左右一対の洗浄段１１Ｂの左右内側の対向面１１Ａに流下する。
【００２８】
そして、スプレッダー１２Ａから下方向に吐水された洗浄水の１部が凸部１１Ｄの上端に到達し、左右一対の洗浄段１１Ｂの間の対向面１１Ａを左右方向に拡がりつつ流下する。詳しくは、凸部１１Ｄは上端から上下方向の中央部に向かうにつれ、左右方向の寸法、及び前方向に突出する寸法が大きくなっている。このため、凸部１１Ｄを流下する洗浄水は凸部１１Ｄによって左右方向に押し拡げられ、左右一対の洗浄段１１Ｂの間の対向面１１Ａを左右方向に拡がりつつ流下する。また、凸部１１Ｄは下端が対向面１１Ａの下部である下端部まで伸びて設けられている。さらに、スプレッダー１２Ａから吐水された洗浄水は対向面１１Ａを流下しつつ重力によって流速が増す。このため、凸部１１Ｄを流下する洗浄水は凸部１１Ｄによって左右一対の洗浄段１１Ｂの間の対向面１１Ａの左右方向に押し拡げられた状態を対向面１１Ａの下端部まで維持することができる。
【００２９】
このように、この小便器は、吐水部１２から吐水された洗浄水が対向面１１Ａを流下し凸部１１Ｄに到達すると、凸部１１Ｄが洗浄水の流れを左右方向に拡げる。このため、この小便器は対向面１１Ａの全体に洗浄水を流すことができる。
【００３０】
したがって、本発明の小便器は良好に洗浄することができる。
【００３１】
また、この凸部１１Ｄは下端が対向面１１Ａの下端部まで伸びている。このため、この小便器は凸部１１Ｄの上端で対向面１１Ａの左右方向に拡がった洗浄水の流れを対向面１１Ａの下部まで維持することができる。
【００３２】
また、この便鉢１１は、上端が吐水部１２の下方に位置し、吐水部１２から吐水された洗浄水を下部前方に案内する左右一対の洗浄段１１Ｂを有し、凸部１１Ｄは左右一対の洗浄段１１Ｂの上端の下方から下方向に伸びている。このため、この小便器は、吐水部１２から吐水され左右一対の洗浄段１１Ｂに乗った洗浄水が便鉢１１の下部前方に案内されるため、便鉢１１の下部前方を洗浄することができる。また、この小便器は、左右一対の洗浄段１１Ｂに乗らず対向面１１Ａの左右中央部を流下する洗浄水を凸部１１Ｄによって対向面１１Ａの左右方向に拡げることができるため、左右一対の洗浄段１１Ｂの間の対向面１１Ａを斑無く洗浄することができる。
【００３３】
また、この小便器は、便鉢１１の下端に排出口１１Ｃが形成されており、この排出口１１Ｃに載置される目皿１３を備え、凸部１１Ｄの下端と目皿１３の外周縁との間に間隔が設けられている。このため、この小便器は目皿１３の周囲に凸部１１Ｄの下端が隣接して設けられていないため、目皿１３の周囲の便鉢１１表面を滑らかに形成することができ、目皿１３近傍の便鉢１１表面を洗浄水が満遍なく流れることができる。さらに、この小便器は使用者から見え易い目皿１３の周囲の見た目を良好にすることができる。
【００３４】
また、この対向面１１Ａは、使用状態における水平断面形状において、左右中央部が後方向に窪んで湾曲し、下方に向けて曲率半径が徐々に小さくなる。このため、この小便器は、対向面１１Ａが下方に向けて曲率半径が徐々に小さくなるため吐水部１２から吐水された洗浄水が対向面１１Ａの左右中央部に集まりやすい。しかし、この小便器は凸部１１Ｄによって洗浄水を対向面１１Ａの左右方向に拡げることができるため、対向面１１Ａの全体を洗浄水が流れて、良好に洗浄することができる。また、この小便器は下端に向かうにつれ対向面１１Ａの左右方向の幅が小さくなり、使用者が対向面１１Ａに近づきやすくすることができるため、使用者の尿が床にこぼれることを抑えることができる。
【００３５】
また、この吐水部１２は対向面１１Ａに取り付けられるスプレッダー１２Ａを有しており、対向面１１Ａのスプレッダー１２Ａが取り付けられる部分が平面である。このため、この小便器はスプレッダー１２Ａの取付け面と対向面１１Ａとを容易に密着させることができる。このため、スプレッダー１２Ａから洗浄水を対向面１１Ａに沿ってばらつきなく所望の方向に吐水することができる。また、この小便器は外観を良好にすることができ、さらに、清掃性を良好にすることができる。
【００３６】
本発明は上記記述及び図面によって説明した実施例１に限定されるものではなく、例えば次のような実施例も本発明の技術的範囲に含まれる。
（１）実施例１では、スプレッダーが別部材で対向面に取り付けられているが、これに限らず、対向面に一体的に形成されていても良い。
（２）実施例１では、左右一対の洗浄段が設けられているが、これに限らず、洗浄段に変えて凸部を設けても良い。
（３）実施例１では、対向面にスプレッダーを１つ取り付けているが、これに限らず、対向面にスプレッダーを２つ以上取り付けても良い。
（４）実施例１では、目皿の外形が円盤状であるが、これに限らず、目皿の外形が半円形状や多角形状等であっても良い。
（５）実施例１では、排出口に目皿を載置しているが、これに限らず、排出口に目皿を載置しなくても良い。
（６）実施例１では、対向面の左右中央に凸部を１つ設けているが、これに限らず、対向面の左右中央部に凸部を２つ以上設けても良い。
（７）実施例１では、スプレッダーの前端面に人体検知センサーを設けているが、これに限らず、小便器を設置する壁面に人体検知センサーを設けても良い。
【符号の説明】
【００３７】
１１…便鉢
１１Ａ…対向面
１１Ｂ…左右一対の洗浄段
１１Ｃ…排出口
１１Ｄ…凸部
１２…吐水部
１２Ａ…スプレッダー（吐水具）
１３…目皿
【図１】
0006663155.tif 000002
【図２】
0006663155.tif 000003
【図３】
0006663155.tif 000004
【図４】
0006663155.tif 000005
【図５】
0006663155.tif 000006
【図６】
0006663155.tif 000007
【図７】
0006663155.tif 000008
【図８】
0006663155.tif 000009